(57)【要約】【課題】受け部材が台座に対して向きを換えても正常に焼香を行うことができる電気焼香炉を提供する。【解決手段】電気焼香炉１は、底部４１の周りに下向きに開放した椀形の脚部４２を設けた壷形の香炉本体４と、香炉本体４の底部４１を貫き脚部４２の内側に延出する２つの端子５，６と、中心電極７及び環形電極８が設けられた円盤状の台座９と、香料が上方から投入される受け部材と、受け部材に設けられ２つの端子５，６がそれぞれ接続された電熱手段とを備える。【選択図】図６
2009050358.tif 000002
【特許請求の範囲】
【請求項１】
香料が投入される受け部材と、前記受け部材に設けられた電熱手段と、前記受け部材の下方へ延出し前記電熱手段にそれぞれ接続された２つの端子と、前記２つの端子のうち一方の端子に対向する中心電極及び前記中心電極の周りに水平面に沿うように設けられた環形電極を有する台座とを備え、
前記受け部材を前記台座に載せた状態で、前記一方の端子が前記中心電極に接触し、前記２つの端子のうち他方の端子が前記環形電極に接触することにより、前記電熱手段が、前記中心電極及び前記環形電極から給電されることを特徴とする電気焼香炉。
【請求項２】
香料が投入される受け部材と、前記受け部材に設けられた電熱手段と、底部及び前記底部の周りに設けられた脚部を有する香炉本体と、前記香炉本体の底部を貫き前記脚部の内側に延出した２つの端子と、前記２つの端子のうち一方の端子に対向する中心電極及び前記中心電極の周りに水平面に沿うように設けられた環形電極を有する台座とを備え、
前記２つの端子をそれぞれ前記電熱手段に接続し、前記一方の端子を前記香炉本体の幾何学的中心線上に配置し、前記２つの端子のうち他方の端子を前記一方の端子から水平方向に隔て配置し、
前記香炉本体の脚部を前記台座で支持した状態で、前記一方の端子が前記中心電極に接触し、前記他方の端子が前記環形電極に接触することにより、前記電熱手段が、前記中心電極及び前記環形電極から給電されることを特徴とする電気焼香炉。
【請求項３】
前記受け部材を前記香炉本体の底部にステーを介して取付け、前記受け部材と前記香炉本体との間に空隙を設けたことを特徴とする請求項２に記載の電気焼香炉。
【発明の詳細な説明】
【技術分野】
【０００１】
本発明は、電熱を利用して焼香を行える電気焼香炉に関する。
【背景技術】
【０００２】
従来例の電気焼香炉は、香料が投入される受け部材に、通電により発熱する電熱手段を設け、電熱手段にそれぞれ接続した２つの端子を受け部材から延出し、これらの端子を台座に設けた２つの電極にそれぞれ接触させたとき、電熱手段が２つの電極から給電されるものである。同様の技術が特許文献１に開示されている。また、乗用車のライターソケットに差込まれる電気芳香発生器が、特許文献２に開示されている。
【特許文献１】特開２００３−２５０７０３号公報
【特許文献２】特開２００３−３３４２７号公報
【発明の開示】
【発明が解決しようとする課題】
【０００３】
従来例の電気焼香炉では、受け部材から延出する２つの端子と、台座に設けられた２つの電極との位置を一致させなければ、電熱手段が２つの電極から給電されないので、焼香ができなくなる。また、従来例の電気焼香炉は、受け部材に溜まった香料の灰を廃棄する等のために、受け部材を台座から離脱させた後、再び受け部材を台座に載せるとき、端子を電極に位置決めしなければならない。
【０００４】
特許文献２に係る電気芳香発生器は、その内部に充填された芳香物質を加熱することにより芳香ガスを発生させるものであり、ライターソケットに対して自在に回転することができる。しかしながら、このような電気芳香発生器は、香料が投入される受け部材を備えるものではなく、また適量の香料を溜めておくために、受け部材が傾かないよう構成したものでもない。
【０００５】
本発明は、受け部材が台座に対して向きを換えても、正常に焼香を行うことができる電気焼香炉を提供することを目的とする。
【課題を解決するための手段】
【０００６】
本発明に係る電気焼香炉は、香料が投入される受け部材と、前記受け部材に設けられた電熱手段と、前記受け部材の下方へ延出し前記電熱手段にそれぞれ接続された２つの端子と、前記２つの端子のうち一方の端子に対向する中心電極及び前記中心電極の周りに水平面に沿うように設けられた環形電極を有する台座とを備え、前記受け部材を前記台座に載せた状態で、前記一方の端子が前記中心電極に接触し、前記２つの端子のうち他方の端子が前記環形電極に接触することにより、前記電熱手段が、前記中心電極及び前記環形電極から給電されることを特徴とする。
【０００７】
本発明に係る電気焼香炉は、香料が投入される受け部材と、前記受け部材に設けられた電熱手段と、底部及び前記底部の周りに設けられた脚部を有する香炉本体と、前記香炉本体の底部を貫き前記脚部の内側に延出した２つの端子と、前記２つの端子のうち一方の端子に対向する中心電極及び前記中心電極の周りに水平面に沿うように設けられた環形電極を有する台座とを備え、前記２つの端子をそれぞれ前記電熱手段に接続し、前記一方の端子を前記香炉本体の幾何学的中心線上に配置し、前記２つの端子のうち他方の端子を前記一方の端子から水平方向に隔て配置し、前記香炉本体の脚部を前記台座で支持した状態で、前記一方の端子が前記中心電極に接触し、前記他方の端子が前記環形電極に接触することにより、前記電熱手段が、前記中心電極及び前記環形電極から給電されることを特徴とする。
【０００８】
更に、本発明に係る電気焼香炉は、前記受け部材を前記香炉本体の底部にステーを介して取付け、前記受け部材と前記香炉本体との間に空隙を設けたことを特徴とする。
【発明の効果】
【０００９】
本発明に係る電気焼香炉によれば、中心電極の周りに環形電極が配置されているので、受け部材を台座に載せた状態で、受け部材が一方の端子を中心に台座に対して回転しても、一方の端子と中心電極との接触、及び他方の端子と環形電極との接触を維持することができる。このため、受け部材の正面又は側面がその周囲の何れの方向に向けられても、電熱手段は中心電極及び環形電極から給電され発熱するので、受け部材に香料が投入されると直ちに焼香を行うことができる。しかも、受け部材の正面又は側面がその周囲の何れの方向に向けられても、受け部材が傾くことが無いので、受け部材に香料又はその灰を溜めておくことができる。
【００１０】
更に、本発明に係る電気焼香炉によれば、一方の端子を香炉本体の幾何学的中心線上に配置し、他方の端子を一方の端子から水平方向に隔て配置しているので、香炉本体を台座に対して回転させても、電熱手段は中心電極及び環形電極から給電され続ける。このため、香炉本体の正面又は側面の向きを台座に対して自在に換えることができ、香炉本体の正面又は側面がその周囲の何れの方向に向けられても、上記の要領で焼香を行える。
【００１１】
更に、本発明に係る電気焼香炉によれば、受け部材と香炉本体との間に空隙を設けているので、電熱手段と香炉本体とを断熱し、香炉本体を素手で触れられる程度に、香炉本体が電熱手段によって加熱されるのを抑えることができる。
【発明を実施するための最良の形態】
【００１２】
本発明に係る電気焼香炉の実施形態について説明する。以下に記す「固定」は、溶接、接着、又はボルト等を用いて締付けることを意味する。また、説明の便宜を優先するため、図面は実寸を外れた形態を表すものとし、自明の電線、ボルト、又はナットについての図示は省略する。
【００１３】
図１乃至図３に示すように、電気焼香炉１は、香料が上方から投入される受け部材２と、受け部材２に設けられた電熱手段３と、底部４１の周りに下向きに開放した椀形の脚部４２を設けた壷形の香炉本体４と、香炉本体４の底部４１の挿通孔４３，４４を通り抜け脚部４２の内側に延出する２つの端子５，６と、中心電極７及び環形電極８が設けられた円盤状の台座９とを備える。
【００１４】
受け部材２は、陶磁器又は石質材等の絶縁材料から成る鉢状の容器である。電熱手段３は、ニクロムから成る薄板を受け部材２の底面に固定したものである。受け部材２には図に表れていない２つの小孔が設けられ、これらの小孔を通る電線が、電熱手段３の両端を２つの端子５，６にそれぞれ接続している。香炉本体４はその上部の開口４５に受け部材２を没入させ、底部４１から立上がる一対のステー１０にて受け部材２を支持している。香炉本体４は、正面又は側面の区別は特段ないが、図柄又は紋章等が付されていれば、その箇所を正面としても良い。ステー１０は、細長い鋼板を湾曲させたものであり、受け部材２と香炉本体４との間に空隙を保つ役割を果たす。ステー１０の上端は、受け部材２の下面に固定されている。ステー１０の下端は、支持部材１１を介して香炉本体４の底部４１に固定されている。
【００１５】
支持部材１１は、図４に示すように、ベークライト等の絶縁材料から成るブロックに、これを上下方向に貫く２つの端子取付孔１２を形成したものである。同図に仮想線で表したステー１０の位置は、支持部材１１の大きさに合わせて決めれば良い。端子５は、ねじ軸５１の下端に頭部５２を形成したものである。端子取付孔１２の内側にはスリーブ５３が螺合し、更にスリーブ５３の内側に端子５のねじ軸５１が螺合している。端子５の頭部５２の位置は、香炉本体４及びその脚部４２の幾何学的中心線Ｏに一致している。端子６は、端子５に対して水平方向に隔たるよう配置されている点を除いて、端子５と同様のものである。ここで、水平方向とは、香炉本体４及びその脚部４２の径方向に一致する。２つの端子５，６を回転させると、それぞれの頭部５２が香炉本体４の底部４１から突出する長さが増減する。符号５４は、スリーブ５３を支持部材１１に固定するロックナットを指している。
【００１６】
台座９は、図５に示すように、内挿部材９１を外周部材９２の内側に挿入し、内挿部材９１と外周部材９２との間に環形電極８を挟み込んでいる。内挿部材９１は、これを上下方向に貫く中心孔９３を形成され、中心孔９３に中心電極７が嵌入されている。内挿部材９１の下面には、凸部９４が形成されている。例えば、電気焼香炉１を卓上に設置する場合、天板１３に凹部を形成しておき、この凹部に内挿部材９１の凸部９４を差込むようにすれば、台座９を卓上に位置決めできる。内挿部材９１と外周部材９２との間にはＯ−リング９５が圧入されている。また、天板１３の適所に配線孔１４を形成し、中心電極７及び環形電極８に配線孔１４を経て電気を供給しても良い。符号９６は、内挿部材９１を天板１３に固定するボルトを指している。
【００１７】
外周部材９２は、その周縁部に段部９７を形成している。図６に示すように、香炉本体４を台座９に載せた状態で、段部９７が脚部４２の周縁を支持する。この状態で、端子５が中心電極７に接触し、且つ端子６が環形電極８に接触するように、２つの端子５，６のそれぞれ頭部５２が底部４１から突出する長さは予め調節されている。また、台座９に誤って水分を付着させても、中心電極７と環形電極８との短絡が起こり難くするために、内挿部材９１、中心電極７、及び環形電極８のそれぞれの上面の高さを違えることが望ましい。図示の形態は、環形電極８よりも中心電極７の上面を高くし、更に中心電極７よりも内挿部材９１の上面を高くしている。
【００１８】
以上に述べた電気焼香炉１によれば、中心電極７の周りに環形電極８が配置されているので、受け部材２を台座９に載せた状態で、香炉本体４が台座９に対して回転しても、電熱手段３は中心電極７及び環形電極８から給電され続ける。このため、香炉本体４の正面又は側面の向きを台座９に対して自在に換えることができ、香炉本体４の正面又は側面がその周囲の何れの方向に向けられても、受け部材２に香料を投入するだけで、焼香を行うことができる。しかも、環形電極８は中心電極７の周りに水平面に沿うように設けられているので、受け部材２の正面又は側面がその周囲の何れの方向に向けられても、受け部材２が傾くことが無いので、受け部材２に香料又はその灰を溜めておくことができる。
【００１９】
また、電気焼香炉１を使用しないとき、受け部材２を台座９から離脱させれば、中心電極７及び環形電極８からの給電を断つことができる。しかも、受け部材２と台座９とは配線等で接続されていないので、例えば受け部材２に溜まった香料の灰を廃棄するときに、香炉本体４を適所へ移動させ、香炉本体４と共に受け部材２の上下を反転させるのが容易である。更に、電気焼香炉１は、受け部材２と香炉本体４との間に空隙を設けることで、電熱手段３と香炉本体４とを断熱しているので、香炉本体４を素手で触れられる程度に、香炉本体４が電熱手段３によって加熱されるのを抑えることができる。しかも、受け部材２を香炉本体４の底部４１にステー１０を介して取付けているので、受け部材２が香炉本体４から脱落することがなく、受け部材２及び香炉本体４の取扱いが便利である。
【００２０】
尚、本発明は、その趣旨を逸脱しない範囲で当業者の知識に基づいて種々なる改良、修正、変形を加えた態様で実施できる。以上の説明は、受け部材２、香炉本体４、脚部４２、及び台座９を平面視したときの断面が円形であることを前提としたが、これらの断面は多角形又は楕円形であっても良い。また、図７に示すように、香炉本体４が鉄等の磁性体である場合、台座９の段部９７に磁石１５を設けても良い。また、中心電極７、内挿部材９１、及び環形電極８のそれぞれの上面の高さを揃えても良い。
【産業上の利用可能性】
【００２１】
本発明に係る電気焼香炉は、寺社の宗教的行事、又は家庭の法事等において使用することができる。
【図面の簡単な説明】
【００２２】
【図１】本発明の実施形態に係る電気焼香炉の一部を破断した側面図。
【図２】本発明の実施形態に係る電気焼香炉に適用した香炉本体の一部を破断した分解斜視図。
【図３】本発明の実施形態に係る電気焼香炉に適用した台座の斜視図。
【図４】本発明の実施形態に係る電気焼香炉に適用した香炉本体の断面図。
【図５】本発明の実施形態に係る電気焼香炉に適用した台座の断面図。
【図６】本発明の実施形態に係る電気焼香炉の要部を示す断面図。
【図７】本発明の実施形態に係る電気焼香炉に適用した台座の変形例の断面図。
【符号の説明】
【００２３】
１：電気焼香炉
２：受け部材
３：電熱手段
４：香炉本体
５，６：端子
７：中心電極
８：環形電極
９：台座
４１：底部
４２：脚部
【図１】
2009050358.tif 000003
【図２】
2009050358.tif 000004
【図３】
2009050358.tif 000005
【図４】
2009050358.tif 000006
【図５】
2009050358.tif 000007
【図６】
2009050358.tif 000008
【図７】
2009050358.tif 000009